(57)【要約】      （修正有）【課題】風呂上がりに頭部や耳に自然で速乾性のある送風ゾーンを提供する。【解決手段】濡れた体を乾かすゾーンで、床の冷・暖風口１、天井に取り付けられた冷・暖風管２、除水滴兼冷・暖風口装置３、とからなるノータオルエアカーテンゾーン。【選択図】図１
2007063746.tif 000002
【特許請求の範囲】
【請求項１】
１、ノータオルエアーカーテン、風呂上がりでタオルを使用せず、水分が蒸発又は吸収されるゾーンを設ける。
【請求項２】
２、浴室の洗浄剤保管場所設置、据え付け浴室等で場所を確保するため浴室の壁面や浴槽壁左右いずれかを凹ませて洗浄液（シャンプー、リンス、ボディソープ．．．）の保管場所を設ける。容器の底に水が溜らないよう滑って落ちない程度の傾斜と滑り止めをつけておく。
【請求項３】
３、ペット用バストイレセット、ペットに人間と同じように水洗トイレを使用させて、室内外の環境と衛生を保つことができるようにする。
【発明の詳細な説明】
〈発明の属する技術分野〉浴室、トイレ
〈従来の技術〉
１、風呂上がりは、一般的に直ぐタオルで身体の水分を拭う。大衆浴場には、扇風機がついているので当たりながら行う。
２、据え付け浴室でも石鹸受けが取り付けられている位である。
３、ペットは、犬は犬用のトイレに使い捨てのシーツを敷いて毎日取り替える。猫は、猫用のトイレに砂を入れてまた、新しい砂に取り替えることを飼い主が行っている。
〈発明が解決しょうとする課題〉
１  風呂上がりのタオルが不用とまでも行かないとしてもせいぜい普通サイズのタオルで間に合う。
２、浴室の洗い場でシャワーのホースにシャンプーやリンスの容器が当たり、よく倒れて手で起こすことがなくなるし、洗い場のスペースが確保できる。
３、特に室内犬は、生後２〜３か月までに覚えることができる。猫は、土を掘り埋める習性があるので、無理であると思ったら、従来のトイレで水に流せる砂が開発出来た時点で兼ねるのはどうか。今まで飼い主がやっていた糞の後始末が動物自身が行うようになる。衛生面から考えてもいいし、飼い主が楽になる。
〈課題を解決するための手段〉
１、ノータオルエアーカーテンは、薬を使って殺菌するものではなく、悪まで自然しかも速乾性のあるもの。特に頭部、耳に悪い影響を与えないこと、長髪でも巻き付かないようなゾーンを開発する。
２、特に都会狭い据付バスを買う、買い換えるとき、マンション、一般家庭、コーポ、アパートに、洗浄液６本から９本凹に保管できるようにしておく。
３、ペット用バス、トイレセットを考案する。
〈発明の実施の形態〉
１、一年を通して安全なエアー発生装置を開発し設置。
２、据付バスの設計に洗浄液保管場所を組み入れる。
３、ペット用バストイレセットを考案。
【図面の簡単な説明】〈図１〉・風呂上がり、濡れた身体を乾かす所。丸い穴、送気管から心地良い風が送られてと同時に除湿も効く。足元は、白癬菌が死滅する工夫がされている。
〈図２〉・上から２箇所、送気口があって床、壁も取り付けられて送風される。人の左右に２機備えられても可能。
〈図３〉・四方から送気され、床は、細かいすのこ状になっている。掃除は、やりやすくしておく。修理の場合は、１台と分けられているのがやりやすい。
〈図４〉・これは浴槽、真向い又は、シャワー取り付けの真下、壁に凹をつけて洗浄剤収納場所としたもの。
〈図５〉・浴室に作られた（市販のユニットバスを想定したもの）洗浄液保管場所は、大きなシャンプーやリンスは、容易に入る広さがある。
〈図６〉・左が内側、右の外側に向い凹がつけられた。ここへ洗浄液を立てて並べる。容器の底に水が溜らないよう苦ふうする。
〈図７〉
・これは、ペット用バス、水洗トイレである。右側でトイレを済ませて、自分でペダル又はレバーを踏んで流す。ここにも自分のし尿の臭いを染み込ませて２箇所取り付ける。尻を汚してしまったときは、隣の大小バスルームで身体を洗ったあとは、また、その隣の部屋で図１、図２、図３のノータオルエアーカーテンと同じ要領で自然に乾かす。
〈図８〉
・左のエアーゾーンは、脅かさないように心掛けて壁からは、心身の安らぎをもたらすようにペットのために音楽をかけて流す。
〈図９〉
・右側は、ペットのし尿が流されて、人間の便槽につながるようにする。
【符号の説明】
１、床の冷・暖風口
２、天井に取り付けられた冷・暖風口管
３、除水滴兼冷・暖風口装置
４、バス本体
５、洗浄剤保管場所
６、バスの底
７、ペット用小風呂
８、ペット用大風呂
９、ペット用水洗トイレ
１０、水流し用ペダル
１１、遊び場所
１２、ペット用水洗トイレと排出口
１３、シャワー
【図１】
2007063746.tif 000003
【図２】
2007063746.tif 000004
【図３】
2007063746.tif 000005
【図４】
2007063746.tif 000006
【図５】
2007063746.tif 000007
【図６】
2007063746.tif 000008
【図７】
2007063746.tif 000009
【図８】
2007063746.tif 000010
【図９】
2007063746.tif 000011
2007063746.tif 000012
2007063746.tif 000013
2007063746.tif 000014
2007063746.tif 000015
【手続補正書】
【提出日】平成18年8月11日(2006.8.11)
【手続補正１】
【補正対象書類名】明細書
【補正対象項目名】全文
【補正方法】変更
【補正の内容】
【発明の詳細な説明】
【技術分野】
【０００１】風呂上がり、タオルなしで速乾性のあるゾーンを設ける。
【発明が解決しようとする課題】
【０００２】風呂上がりのタオルが不用とまでも行かないとしてもせいぜい普通サイズのタオルで間に合う。
【課題を解決するための手段】
【０００３】ノータオルエアーカーテンは、薬を使って殺菌するものではなく悪まで自然しかし、速乾性のあるもの。特に頭部、耳に悪い影響を与えないこと。長髪でも巻き付かないようなゾーンを開発する。
【図面の簡単な説明】
【０００４】
【図１】…風呂上がり、濡れた身体を乾かす所、丸い穴、送気管から、心地良い風が送られると同時に除湿も効く。足元は、白癬菌が死滅する工夫がされている。更衣するまでに設けられたノータオルエアーカーテン。
【図２】…上から２箇所送気口があって床、壁も取り付けられて送風される。人の左右２機備えられているのも可能。
【図３】…四方から送気され、床は細かいすのこ状になっている。掃除はやりやすくしておく。修理の場合は１台と分けられているのがやりやすい。
【図４】…これは、浴槽、真向又は、シャワー取り付けの真下、壁に凹をつけた浴室の洗浄剤保管場所設置。平面図。
【図５】…浴室に作られた（市販のユニットバスを想定したもの）洗浄液保管場所は、大きなシャンプーやリンスは、容易に入る広さがある。
【図６】…左が内側、右の外側に向い凹がつけられた。ここへ洗浄液を立てて並べる。容器の底に水が溜らないように苦ふうする。
【図７】…これは、ペット用バストイレセットである。トイレを済ませたら、自分でペダル又はレバーを踏んで流せるように生後２〜３か月までに覚えさせる。尻を汚してしまったときは、バスルームで身体を洗った後、その隣でノータオルエアーカーテンと同じ要領で自然に乾かす。脅かさないように心掛けて、壁からは、心身の安らぎをもたらすようにペットのために音楽をかけて流す。平面図。
【図８】…立面図
【図９】…断面図
【図１０】…円形タイプペット用蚊屋の平面図
【図１１】…立面図
【図１２】…断面図
【図１３】…半円形タイプの蚊屋の平面図
【図１４】…立面図
【図１５】…断面図
【図１６】…本体を頭頂部に渡して両耳を固定するもの。耳の角度調節器、音を上手く拾い集めて、物事を速く察知できる起案であり、耳オアシスの平面図。
【図１７】…耳の前後で安定させて耳は、少し後部から押すように角度が自由に調整できるもの。後方にある耳を真横へ移動。立面図
【図１８】…安全な軽くてしなやかな素材を用いる。断面図。
【符号の説明】
【０００５】  １．床の冷・暖風口、ノータオルエアーカーテン。  ２．天井に取り付けられた冷・暖口管  ３．除水滴兼冷・暖風口装置  ４．バス本体。浴室の洗浄剤保管場所設置。  ５．洗浄剤保管場所2007063746.tif 000016
７．ペット用風呂。ペット用バストイレセット。  ８．ペット用水洗トイレ  ９．水流し用ペダル１０．遊び場所１１．シャワー１２．平面図のこの蚊屋は、丈夫な素材でできている。ペット用蚊屋。１３．立面図。縦の線は、伸縮の効く出入口。１４．底。取り外しが可能ボタン又は、引っ掛け式。底も細かい格子状になって通気性がよくなっている。１５．断面図。地面から３ｃｍは離しておいて空気の流れをよくする。１６．壁に添わせた半円形タイプの蚊屋。平面図。１７．立面図。底は、１４と同じく通気性がある。縦線は出入口。１８．断面図の壁側も一面素材で作られている。１９．本体を頭にかける。耳オアシス。２０．本体耳の後部で自由に角度を変えられる。
【手続補正２】
【補正対象書類名】図面
【補正対象項目名】全図
【補正方法】変更
【補正の内容】
【図１】
2007063746.tif 000017
【図２】
2007063746.tif 000018
【図３】
2007063746.tif 000019
【図４】
2007063746.tif 000020
【図５】
2007063746.tif 000021
【図６】
2007063746.tif 000022
【図７】
2007063746.tif 000023
【図８】
2007063746.tif 000024
【図９】
2007063746.tif 000025
【図１０】
2007063746.tif 000026
【図１１】
2007063746.tif 000027
【図１２】
2007063746.tif 000028
【図１３】
2007063746.tif 000029
【図１４】
2007063746.tif 000030
【図１５】
2007063746.tif 000031
【図１６】
2007063746.tif 000032
【図１７】
2007063746.tif 000033
【図１８】
2007063746.tif 000034